(57)【要約】【課題】  高効率冷却化、小型化、信頼性、保守性に優れた冷却装置を有する電子機器を提供する【解決手段】  筐体の下面にフィン型ヒートシンクを備え、該フィン型ヒートシンクにより、筐体内部の発熱部品を冷却する冷却装置を備えた電子機器において、前記フィン型ヒートシンクの垂直方向より冷却するための空気を吸い込み、該吸い込んだ空気を水平方向に排気することにより、冷却空気吸い込み方向と直交する吐き出し方向を有するブロア型ファンを備えたことを特徴とする。【選択図】  図２
2007096230.tif 000002
【特許請求の範囲】
【請求項１】
筐体の下面にヒートシンクを備え、該ヒートシンクにより、筐体内部の発熱部品を冷却する冷却装置を備えた電子機器において、
前記ヒートシンクの垂直方向より冷却するための空気を吸い込み、該吸い込んだ空気を水平方向に排気することにより、冷却空気吸い込み方向と直交する吐き出し方向を有するファンを備えたことを特徴とする電子機器。
【請求項２】
前記筐体を密閉構造とし、該筐体の下面に前記ヒートシンクが取り付けられた前記ファンを備えたことを特徴とする前記請求項１記載の電子機器。
【発明の詳細な説明】
【技術分野】
【０００１】
本発明は、電子機器に関し、特に、冷却装置を有する電子機器に関するものである。
【背景技術】
【０００２】
従来の電子機器として、例えば屋外に設置され、または、可搬されるＦＰＵ（フィールド・ピックアップ・ユニット）、監視カメラや携帯型放送カメラなどがある。
これら電子機器の冷却装置は、筐体下面に筐体内の発熱部品の密着したフィン型ヒートシンクを持ち、前記フィン型ヒートシンクを強制空冷する冷却装置が備えられ、この冷却装置には軸流ファンが用いられていた。
従来の電子機器として、例えば、特許文献１に示すものがある。
【０００３】
【特許文献１】特開２０００−２７７９５５
【発明の開示】
【発明が解決しようとする課題】
【０００４】
前記従来技術では、冷却装置の軸流ファンの吸い込み方向と吐き出し方向が同じであるため、筐体下面より吸気し筐体側面より排気するという直交する流路に置いては、流路を直交させるための高さ空間が必要であったため、フィン型ヒートシンクが大型化してしまう要因となっていた。
また、流路が直交していたため圧力損失が増大化してしまう要因となっていた。
したがって、電子機器の冷却装置の高性能化、小型化が困難であるという課題があった。
【０００５】
本発明は、このような従来の事情に鑑み為されたもので、高効率冷却化、小型化、信頼性、保守性に優れた冷却装置を有する電子機器を提供することを目的とする。
【課題を解決するための手段】
【０００６】
上記従来の課題を解決するため請求項１に記載の発明は、筐体の下面にヒートシンクを備え、該ヒートシンクにより、筐体内部の発熱部品を冷却する冷却装置を備えた電子機器において、前記ヒートシンクの垂直方向より冷却するための空気を吸い込み、該吸い込んだ空気を水平方向に排気することにより、冷却空気吸い込み方向と直交する吐き出し方向を有するファンを備えたことを特徴とする。
【０００７】
上記従来の課題を解決するため請求項２に記載の発明は、前記請求項１記載の電子機器であって、前記筐体を密閉構造とし、該筐体の下面に前記ヒートシンクが取り付けられた前記ファンを備えたことを特徴とする。
【０００８】
上記従来の課題を解決するため本発明は、フィン型ヒートシンクにより発熱部品を冷却する冷却装置を有する電子機器において、フィン型ヒートシンク垂直方向より冷却するための空気を吸い込み、フィン型ヒートシンク水平方向に排気し、また、冷却空気吸い込み方向と直交する吐き出し方向を有するブロア型ファンにより、省スペースで筐体下面より吸気し、筐体側面に排気する。
ここでは、ブロア型ファンを備えた事により、冷却風流路の直交よる圧力損失を低減化、高効率冷却化を可能とすると共に、ヒートシンクの小型化、前記電子機器の小型化が可能となる。
【０００９】
また、前記電子機器を密閉筐体とし、その下面にフィン型ヒートシンクを取り付ける、前記ブロア型ファンにより、フィン型ヒートシンク下面より冷却風を吸込む構造のため、電子機器筐体内への雨水、粉塵等の侵入は無く、ブロア型ファンへの雨水の侵入もしづらく、防水性及び、信頼性に優れた電子機器の冷却装置の提供が可能となる。
すなわち、電子機器の筐体下面にフィン型ヒートシンクを持ち、そのフィン型ヒートシンクにより、発熱部品を冷却する冷却装置を備えた電子機器において、高効率冷却すると共に、小型化、信頼性、保守性に優れた電子機器とするものである。
【発明の効果】
【００１０】
本発明によると、高効率冷却化、小型化、信頼性、保守性に優れた、冷却装置を有する電子機器を提供することできる。
【発明を実施するための最良の形態】
【００１１】
本発明に係る実施の形態を図面を参照して説明する。
図1は、本発明の実施の形態に係る電子機器の一例として、放送カメラの外部構成を示す斜視図である。
図2は、本発明の実施の形態に係り、図1に示した電子機器の内部構成を示す分解斜視図である。
図3は、本発明の実施の形態に係り、図1に示した電子機器の側面図である。
図4は、本発明の実施の形態に係り、フィン型ヒートシンクにブロア型ファンを備えた冷却装置を示す下面図である。
【００１２】
各図において、1は屋外でも使用される事のある可搬型の電子機器である。
この電子機器1は電子回路部（詳細図示せず）を筐体カバー2内に実装し、発熱部品3の密着したフィン型ヒートシンク4と、そのフィン型ヒートシンク4を冷却するためのブロア型ファン5とフィン型ヒートシンク4からの冷却風漏洩を防止するための冷却風漏洩防止板8とから概略構成されている。
前記冷却風漏洩防止板8にはブロア型ファン吸気口13用の吸気口6の穴があいている。
【００１３】
冷却空気吸い込み方向9と直交する吐き出し方向10を有するブロア型ファン5を備える事で、ファン取り付け上部送風流路空間を必要とせず、ブロア型ファン5をフィン型ヒートシンク4に密着し取り付けてある。
【００１４】
電子機器を冷却する際には、ブロア型ファン5を稼動させ、ブロア型ファン吸気口12より冷却風を矢印9方向より吸気し、ブロア型ファン排気口13から矢印10方向へ強制的に排気する。
これにより、吸気口6から冷却風を吸気し、フィン型ヒートシンク4間を通過し、フィン型ヒートシンク4端面の排気口7より排気される。
【００１５】
ここで、フィン型ヒートシンク4と冷却風漏洩防止板8を取り外し可能に取り付けた事により、ブロア型ファン5の交換が容易となる。
【００１６】
フィン型ヒートシンク4は冷却寄与部にのみ放熱フィン14のある構造であり、ブロア型ファンからの冷却風を斜板15によって、放熱フィン14へ低圧力損失にて誘導している。
【００１７】
本発明に係る実施の形態は、電子機器の筐体下面に筐体内の発熱部品の密着したフィン型ヒートシンクを持ち、ブロア型ファンにて冷却を行なう冷却装置を備えている。
このように、筐体下面に筐体内の発熱部品の密着したフィン型ヒートシンクを持ち、冷却空気吸い込み方向と直交する吐き出し方向を有するブロア型ファンを備える事によって、高効率冷却化を可能とする。
【００１８】
また、本発明に係る実施の形態は、電子機器の冷却装置として、冷却空気吸い込み方向と直交する吐き出し方向を有するブロア型ファンを備える事により、圧力損失低減化、高効率冷却化と冷却用ファン取り付け省スペース化による電子機器の小型化を実現する。
このように、冷却空気吸い込み方向と直交する吐き出し方向を有するブロア型ファンを備える事で、ファン取り付け上部送風流路空間を必要とせず、ブロア型ファンをフィン型ヒートシンクに密着する事ができるため、フィン型ヒートシンク高さをブロア型ファン高さと同等にする事ができる事により、省スペース化、小型化が可能になる。
また、筐体下面より冷却空気を吸気し、筐体側面より排気する構造において、冷却空気吸い込み方向と直交する吐き出し方向を有するブロア型ファンを用いた事で、効率の良い送風ができるため圧力損失低減化及び高効率冷却化を可能とする。
【００１９】
また、本発明に係る実施の形態は、電子機器の筐体が密閉筐体による防水性、筐体下面のフィン型ヒートシンクに取り付けられたブロア型ファンの下面からの冷却風吸い込みによる、雨水の浸入しづらい構造とすることができる。
このように、電子回路部を密閉筐体内に内蔵し、筐体内の発熱部品が密着したフィン型ヒートシンク下面にブロア型ファンを備え、ブロア型ファン吸い込み口を水滴の落下方向と反対方向にする事によって雨水のブロア型ファンへの侵入しづらい構造にする事により、防水性、信頼性に優れた電子機器の提供を可能とする。
【００２０】
また、本発明に係る実施の形態は、フィン型ヒートシンク下面に冷却風漏洩防止板を取り付ける事により、前記フィン型ヒートシンク外への冷却風の漏洩を防ぎ、冷却風を有効利用すると共に、前記冷却風漏洩防止板に高熱伝導率材を備える事によって、更なる高効率冷却化を特長とする冷却装置を備えた電子機器とすることができる。
このように、フィン型ヒートシンクに冷却風漏洩防止板を取り付ける事により、ブロア型ファン吸気口からフィン型ヒートシンク排気口間の冷却空気の漏洩を防ぐ事によって冷却風の有効利用を可能とし、高効率冷却化を可能とする。
また、前記冷却風漏洩防止板に高熱伝導材を備える事により、放熱面積の拡大及び有効利用をする事により、更なる高効率冷却化を可能とする。
【００２１】
また、本発明に係る実施の形態は、電子機器の冷却装置に、最大静圧の高いブロア型ファンを備える事により、フィン型ヒートシンクの狭小フィンピッチ、フィン高さ低減、冷却寄与部のみのフィン取り付けによる冷却風流路の狭小化による圧力損失増大化においても、充分な冷却風を送風する事で高効率冷却を特長とするものである。
このように、最大静圧の高いブロア型ファンを備える事により、高効率冷却化フィン型ヒートシンクの狭小フィンピッチ、フィン高さ低減、冷却寄与部のみのフィン取り付けによる冷却風流路の狭小化による圧力損失増大化においても、充分な冷却風を送風する事が可能となる。
【００２２】
本発明に係る実施の形態によれば、冷却空気吸い込み方向と直交する吐き出し方向を有するブロア型ファンを備える事により、圧力損失低減化、高効率冷却化とファン取り付け省スペース化による電子機器の小型化を実現する事ができる、という効果が得られる。
【００２３】
また、本発明に係る実施の形態によれば、密閉筐体による防水性、筐体下面のフィン型ヒートシンクに取り付けられたブロア型ファンの下面からの冷却風吸い込みによる、雨水の浸入しづらい構造の電子機器を実現する、という効果が得られる。
【００２４】
また、本発明に係る実施の形態によれば、フィン型ヒートシンクに冷却風漏洩防止板を取り付ける事により、ブロア型ファン吸気口からフィン型ヒートシンク排気口間の冷却空気の漏洩を防ぐ事によって冷却風の有効利用を可能とし、高効率冷却化を可能とする事ができる、という効果が得られる。
【００２５】
また、本発明に係る実施の形態によれば、冷却風漏洩防止板に高熱伝導材を備える事により、放熱面積の拡大及び有効利用をする事により、高効率冷却化を可能とする事ができる、という効果が得られる。
【００２６】
また、本発明に係る実施の形態によれば、最大静圧の高いブロア型ファンを備える事により、フィン型ヒートシンクの高効率冷却性能及び小型化のための狭小フィンピッチ、フィン高さ低減、冷却寄与部のみのフィン取り付けによる冷却風流路の狭小化による圧力損失の増大化においても、充分な冷却風を送風する事ができる、という効果が得られる。
【００２７】
具体的に本発明の実施の形態は、筐体の下面にフィン型ヒートシンクを備え、該フィン型ヒートシンクにより、筐体内部の発熱部品を冷却する冷却装置を備えた電子機器において、前記フィン型ヒートシンクの垂直方向より冷却するための空気を吸い込み、該吸い込んだ空気を水平方向に排気することにより、冷却空気吸い込み方向と直交する吐き出し方向を有するブロア型ファンを備えたことを特徴とする。
さらに、前記電子機器であって、前記筐体を密閉構造とし、該筐体の下面に前記フィン型ヒートシンクが取り付けられた前記ブロア型ファンを備えたことを特徴とする。
【００２８】
上述した本発明に係る実施の形態とすることで、ＦＰＵ（フィールド・ピックアップ・ユニット）などの通信装置に好適なものとすることができる。
また、このような電子機器、例えば、監視カメラや携帯型の放送カメラなど、電柱や家屋軒先、建築物壁面などに設置され、若しくは可搬型としてカメラマンが携行して放送カメラ等として使用されるに好適な、冷却装置を有する電子機器とすることができる。
また、このような電子機器は、例えば、市町村デジタル同報通信システムや県防災無線システム等の防災行政無線システムなどの屋外に設置する子局や中継局に好適な電子機器とすることができ、特に、電柱やビル屋上、建築物壁面などに設置される場合、若しくは、業務員が可搬の場合に好適な、冷却装置を有する電子機器とすることができる。
【図面の簡単な説明】
【００２９】
【図１】本発明の実施の形態に係る電子機器の一例として、放送カメラの外部構成を示す斜視図である。
【図２】本発明の実施の形態に係り、図1に示した電子機器の内部構成を示す分解斜視図である。
【図３】本発明の実施の形態に係り、図1に示した電子機器の側面図である。
【図４】本発明の実施の形態に係り、フィン型ヒートシンクにブロア型ファンを備えた冷却装置を示す下面図である。
【符号の説明】
【００３０】
1：電子機器、2：筐体カバー、3：内部発熱部品、4：フィン型ヒートシンク、5：ブロア型ファン、6：吸気口、7：排気口、8：冷却風漏洩防止板、9：ブロア型ファン吸気方向、10：ブロア型ファン排気方向、11：フィン型ヒートシンク排気方向、12：ブロア型ファン吸気口、13：ブロア型ファン排気口、14：放熱フィン部、15：斜板。
【図１】
2007096230.tif 000003
【図２】
2007096230.tif 000004
【図３】
2007096230.tif 000005
【図４】
2007096230.tif 000006